Podtech/llm-jp-corpus-v4-ja_patent huggingface dataset:
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
チャンバと、
前記チャンバ内にガスを供給するガス供給手段と、
前記チャンバ内のガスを排気する排気手段と、
制御部と、を備え、
前記制御部は、
（ａ）前記チャンバ内でシリコン酸化膜又はシリコン酸化膜とシリコン窒化膜との積層膜であるエッチング対象膜をマスクを介してプラズマエッチングして、前記エッチング対象膜に第１の深さを有する第１の凹部を形成する工程、
（ｂ）プラズマを生成して、前記チャンバ内で前記（ａ）により形成した前記第１の凹部の側壁に、前記第１の凹部の上部側よりも前記凹部の底部側で薄い保護膜を形成する工程、及び
（ｃ）前記チャンバ内で前記保護膜が形成された前記第１の凹部の底部にある前記エッチング対象膜をプラズマエッチングして、前記エッチング対象膜に前記第１の深さよりも深い第２の深さを有する第２の凹部を形成する工程、
を含む処理を実行する、処理装置。
【請求項２】
前記制御部は、前記（ａ）を前記第１の凹部の側壁にボーイング形状が発生する前まで実行する、
請求項１に記載の処理装置。
【請求項３】
前記制御部は、前記（ａ）の後かつ前記（ｂ）の前に、前記エッチング対象膜の上のマスクに付着した反応生成物を除去する第１のアッシング工程をさらに実行する、
請求項１又は２に記載の処理装置。
【請求項４】
前記制御部は、前記（ｂ）の後かつ前記（ｃ）の前に、モノシランの単一ガス又はモノシランを含む混合ガスによるトリートメントを行うトリートメント工程をさらに実行する、
請求項１~３のいずれかに記載の処理装置。
【請求項５】
前記制御部は、前記（ｃ）の後に、前記保護膜を除去する第２のアッシング工程をさらに実行する、
請求項１〜４のいずれかに記載の処理装置。
【請求項６】
前記制御部は、前記第１のアッシング工程及び／又は前記第２のアッシング工程を前記チャンバ内で実行する、請求項５に記載の処理装置。
【請求項７】
前記マスクは、ポリシリコン、アモルファスカーボン、アモルファスシリコン及び金属含有材料からなる群より選ばれる少なくとも１つを含む、
請求項１〜６のいずれかに記載の処理装置。
【請求項８】
前記マスクは、アモルファスカーボン又はアモルファスシリコンである、
請求項１〜６のいずれかに記載の処理装置。
【請求項９】
前記保護膜はカーボンを含む、
請求項１〜８のいずれかに記載の処理装置。
【請求項１０】
前記制御部は、前記（ｂ）において、炭化水素を含む成膜ガスにより前記保護膜を形成する、
請求項９に記載の処理装置。
【請求項１１】
前記保護膜はシリコンを含む、
請求項１〜８のいずれかに記載の処理装置。
【請求項１２】
前記制御部は、前記（ｂ）において、シリコンを含むガスにより前記保護膜を形成する、
請求項１１に記載の処理装置。
【請求項１３】
前記保護膜は、カーボン膜とシリコン膜との積層膜を２層以上含む、
請求項１〜８のいずれかに記載の処理装置。
【請求項１４】
前記制御部は、前記（ｂ）において、カーボン膜を先に成膜し、その後にシリコン膜を成膜する、
請求項１３に記載の処理装置。
【請求項１５】
前記制御部は、前記（ｂ）をプロセス条件を変えて連続して実行することにより、前記保護膜を形成する、
請求項１３に記載の処理装置。
【請求項１６】
前記保護膜の厚さは、１ｎｍ〜２ｎｍである、
請求項１〜１５のいずれかに記載の処理装置。
【請求項１７】
前記（ａ）及び前記（ｃ）工程は、フッ化炭素を含むエッチングガスから生成したプラズマにより前記エッチング対象膜をエッチングする、
請求項１〜１６のいずれかに記載の処理装置。
【請求項１８】
前記制御部は、前記（ｂ）と前記（ｃ）とを含むサイクルを複数回繰り返し、前記第２の深さよりも深い第３の深さを有する第３の凹部を形成する、
請求項１〜１７のいずれかに記載の処理装置。
【請求項１９】
前記チャンバは、容量結合型プラズマ装置である、
請求項１〜１８のいずれかに記載の処理装置。
【請求項２０】
前記チャンバは、誘導結合型プラズマ装置である、
請求項１〜１８のいずれかに記載の処理装置。
【請求項２１】
エッチングチャンバと、
成膜チャンバと、
前記エッチングチャンバと前記成膜チャンバとを連結するトランスファーチャンバと、
制御部と、を備え、
前記制御部は、
（ａ）前記エッチングチャンバ内でシリコン酸化膜又はシリコン酸化膜とシリコン窒化膜との積層膜であるエッチング対象膜をマスクを介してプラズマエッチングして、前記エッチング対象膜に第１の深さを有する第１の凹部を形成する工程、
（ｂ）プラズマを生成して、前記成膜チャンバ内で前記（ａ）により形成した前記第１の凹部の側壁に、前記第１の凹部の上部側よりも前記凹部の底部側で薄い保護膜を形成する工程、及び
（ｃ）前記エッチングチャンバ内で前記保護膜が形成された前記第１の凹部の底部にある前記エッチング対象膜をプラズマエッチングして、前記エッチング対象膜に前記第１の深さよりも深い第２の深さを有する第２の凹部を形成する工程、
を含む処理を実行する、処理システム。
【手続補正２】
【補正対象書類名】明細書
【補正対象項目名】発明の名称
【補正方法】変更
【補正の内容】
【発明の名称】処理装置及び処理システム
【手続補正３】
【補正対象書類名】明細書
【補正対象項目名】０００６
【補正方法】変更
【補正の内容】
【０００６】
上記課題を解決するために、一の態様によれば、チャンバと、前記チャンバ内にガスを供給するガス供給手段と、前記チャンバ内のガスを排気する排気手段と、制御部と、を備え、前記制御部は、（ａ）前記チャンバ内でシリコン酸化膜又はシリコン酸化膜とシリコン窒化膜との積層膜であるエッチング対象膜をマスクを介してプラズマエッチングして、前記エッチング対象膜に第１の深さを有する第１の凹部を形成する工程、（ｂ）プラズマを生成して、前記チャンバ内で前記（ａ）により形成した前記第１の凹部の側壁に、前記第１の凹部の上部側よりも前記凹部の底部側で薄い保護膜を形成する工程、及び（ｃ）前記チャンバ内で前記保護膜が形成された前記第１の凹部の底部にある前記エッチング対象膜をプラズマエッチングして、前記エッチング対象膜に前記第１の深さよりも深い第２の深さを有する第２の凹部を形成する工程、を含む処理を実行する、処理装置が提供される。
【手続補正書】
【提出日】令和3年11月2日(2021.11.2)
【手続補正１】
【補正対象書類名】明細書
【補正対象項目名】発明の名称
【補正方法】変更
【補正の内容】
【発明の名称】登録装置およびプログラム
【手続補正２】
【補正対象書類名】明細書
【補正対象項目名】０００１
【補正方法】変更
【補正の内容】
【０００１】
本発明の実施形態は、登録装置およびプログラムに関する。
【手続補正３】
【補正対象書類名】明細書
【補正対象項目名】０００４
【補正方法】変更
【補正の内容】
【０００４】
本発明が解決しようとする課題は、セミセルフチェックアウトシステムにおける店員の手間を軽減することができる登録装置およびプログラムを提供することである。
【手続補正４】
【補正対象書類名】明細書
【補正対象項目名】０００５
【補正方法】変更
【補正の内容】
【０００５】
実施形態の登録装置は、登録手段と、検出手段と、管理手段と、特定手段と、送信手段と、を備える。前記登録手段は、販売する商品を登録する。前記検出手段は、自装置と、複数台の会計装置とが設置された領域に存在している顧客の位置を検出する。前記管理手段は、前記検出手段が検出した顧客と、前記登録手段が登録した商品を示す販売登録情報とを関連付けて管理する。前記特定手段は、前記検出手段が検出した顧客が存在している位置を記録した、前記自装置から前記会計装置までの移動経路において当該顧客が会計領域に所定時間以上いる場合に、当該会計領域に関連付けられた前記会計装置を特定する。前記送信手段は、前記特定手段が特定した前記会計装置に前記販売登録情報を送信する。
【手続補正５】
【補正対象書類名】特許請求の範囲
【補正対象項目名】全文
【補正方法】変更
【補正の内容】
【特許請求の範囲】
【請求項１】
販売する商品を登録する登録手段と、
自装置と、複数台の会計装置とが設置された領域に存在している顧客の位置を検出する検出手段と、
前記検出手段が検出した顧客と、前記登録手段が登録した商品を示す販売登録情報とを関連付けて管理する管理手段と、
前記検出手段が検出した顧客が存在している位置を記録した、前記自装置から前記会計装置までの移動経路において当該顧客が会計領域に所定時間以上いる場合に、当該会計領域に関連付けられた前記会計装置を特定する特定手段と、
前記特定手段が特定した前記会計装置に前記販売登録情報を送信する送信手段と、
を備える登録装置。
【請求項２】
前記検出手段は、前記自装置の前方の登録領域から一又は複数の顧客を検出し、
前記管理手段は、前記検出手段が検出した一又は複数の顧客と、前記販売登録情報とを関連付ける、
請求項１に記載の登録装置。
【請求項３】
前記特定手段は、前記管理手段が関連付けた何れかの顧客が前記会計領域に所定時間以上いる場合に、当該会計領域に関連付けられた前記会計装置を特定する、
請求項２に記載の登録装置。
【請求項４】
前記検出手段が検出した顧客が会計処理を完了させる前に、前記領域から退出したことを条件に報知する報知手段を更に備える、
請求項１乃至３の何れか一項に記載の登録装置。
【請求項５】
前記報知手段は、前記領域にいる顧客の人数が閾値以下となったことを条件に報知する、
請求項４に記載の登録装置。
【請求項６】
コンピュータを、
販売する商品を登録する登録手段と、
自装置と、複数台の会計装置とが設置された領域に存在している顧客の位置を検出する検出手段と、
前記検出手段が検出した顧客と、前記登録手段が登録した商品を示す販売登録情報とを関連付けて管理する管理手段と、
前記検出手段が検出した顧客が存在している位置を記録した、前記自装置から前記会計装置までの移動経路において当該顧客が会計領域に所定時間以上いる場合に、当該会計領域に関連付けられた前記会計装置を特定する特定手段と、
前記特定手段が特定した前記会計装置に前記販売登録情報を送信する送信手段と、
して機能させるためのプログラム。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
第１トークルームを表示する端末によって実行されるプログラムであって、
前記端末のユーザが参加していない第２トークルームに参加されている第１ユーザによって、前記第２トークルームで前記ユーザがメンションされたことに基づいて送信された、前記第２トークルームを表示するための情報を前記端末の通信部によって受信することと、
前記第２トークルームを表示するための情報を含む前記第１トークルームを前記端末の表示部によって表示することと、
前記第２トークルームを表示するための情報に対する、前記ユーザによる入力に基づいて、前記第２トークルームを前記表示部に表示することとが前記端末によって実行される。
【請求項２】
請求項１に記載のプログラムであって、
前記第２トークルームを表示するための情報は、前記第２トークルームを示すリンク情報を含む。
【請求項３】
請求項１または請求項２に記載のプログラムであって、
前記第２トークルームに参加されている前記第１ユーザによって、前記第２トークルームで前記ユーザがメンションされたことに基づいて送信された、前記第２トークルームに参加されている前記第１ユーザによって、前記ユーザがメンションされたことを示す情報を前記通信部によって受信することと、
前記第２トークルームに参加されている前記第１ユーザによって、前記メンションされたことを示す情報を前記表示部に表示することとが前記端末によって実行される。
【請求項４】
請求項１から請求項３のいずれか一項に記載のプログラムであって、
前記第１トークルームは、前記第１ユーザを含まない。
【請求項５】
請求項１から請求項４のいずれか一項に記載のプログラムであって、
前記第２トークルームは、前記第１ユーザとは異なる第２ユーザを含む。
【請求項６】
請求項１から請求項５のいずれか一項に記載のプログラムであって、
前記第１トークルームは、前記第２トークルームとは区別して前記表示部に表示される。
【請求項７】
請求項１から請求項６のいずれか一項に記載のプログラムであって、
前記第２トークルームを表示するための情報と、前記第１ユーザを示す情報とを前記表示部に表示することが前記端末によって実行される。
【請求項８】
請求項１から請求項７のいずれか一項に記載のプログラムであって、
前記第２トークルームを表示するための情報は、前記第２トークルームでの送受信を中継するサーバから送信される。
【請求項９】
請求項１から請求項８のいずれか一項に記載のプログラムであって、
前記第２トークルームを表示するための情報は、前記第１ユーザによって、前記第２トークルームで前記ユーザがメンションされた後に送信される。
【請求項１０】
第１トークルームを表示する端末の情報処理方法であって、
前記端末のユーザが参加していない第２トークルームに参加されている第１ユーザによって、前記第２トークルームで前記ユーザがメンションされたことに基づいて送信された、前記第２トークルームを表示するための情報を前記端末の通信部によって受信することと、
前記第２トークルームを表示するための情報を含む前記第１トークルームを前記端末の表示部によって表示することと、
前記第２トークルームを表示するための情報に対する、前記ユーザによる入力に基づいて、前記第２トークルームを前記表示部に表示することとを含む。
【請求項１１】
第１トークルームを表示する端末であって、
前記端末のユーザが参加していない第２トークルームに参加されている第１ユーザによって、前記第２トークルームで前記ユーザがメンションされたことに基づいて送信された、前記第２トークルームを表示するための情報を受信する通信部と、
前記第２トークルームを表示するための情報を含む前記第１トークルームを表示し、前記第２トークルームを表示するための情報に対する、前記ユーザによる入力に基づいて、前記第２トークルームを表示する表示部とを備える。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
表示部を有し、店舗に設置される店舗端末装置を管理するための販売支援システムであって、
前記店舗端末装置において、レシピサイトにおいて参照可能なレシピに関するレシピ動画像と、広告を示す広告動画像を前記表示部において配信する配信手段であって、
前記店舗に来店したユーザの有するユーザ端末からの閲覧要求に応じて、前記ユーザ端末において前記店舗端末装置において配信した前記レシピ動画像を閲覧可能にする配信手段と、
前記表示部における表示を参照した参照者数を取得する取得手段と、
前記店舗端末装置の設置されている店舗もしくは売り場に関する複数のグループ情報と、前記複数のグループのそれぞれに属する前記店舗端末装置について前記取得手段において取得した前記参照者数を対応づけて管理するように制御する制御手段とを有することを特徴とする販売支援システム。
【請求項２】
前記制御手段は、前記レシピ動画像ごと、もしくは前記広告動画像ごとに前記取得手段において取得された前記参照者数を対応づけて管理するように制御することを特徴とする請求項１に記載の販売支援システム。
【請求項３】
前記制御手段は、前記レシピ動画像、もしくは前記広告動画像の再生時刻ごとに前記取得手段において取得された前記参照者数を対応づけて管理するように制御することを特徴とする請求項１または２に記載の販売支援システム。
【請求項４】
前記店舗端末装置と前記ユーザ端末とは、無線通信を用いた関連付け、または２次元コードもしくは３次元コードを用いた関連付けが可能であり、
前記店舗端末装置と前記ユーザ端末を関連づけた関連付け情報を取得する関連情報取得手段とをさらに有することを特徴とする請求項１乃至３のいずれか１項に記載の販売支援システム。
【請求項５】
前記関連情報取得手段の取得した前記関連付け情報に基づき、前記ユーザ端末に前記レシピ動画像を送信する送信手段をさらに有することを特徴とする請求項４に記載の販売支援システム。
【請求項６】
前記制御手段は、前記レシピ動画像もしくは前記広告動画像の再生状況と、前記グループ情報とを対応づけて管理するように制御することを特徴とする請求項１乃至５のいずれか１項に記載の販売支援システム。
【請求項７】
前記制御手段は、前記レシピ動画像もしくは前記広告動画像の再生状況、または前記取得手段の取得した前記参照者数に基づき、販促料金を算出するように制御することを特徴とする請求項１乃至６のいずれか１項に記載の販売支援システム。
【請求項８】
前記店舗端末装置は、前記表示部を参照した人間を顔認識または視線検出により特定し、前記参照者数を計数する計数手段を有することを特徴とする請求項１乃至７のいずれか１項に記載の販売支援システム。
【請求項９】
前記店舗端末装置は、前記表示部を参照した人間の年齢または性別を示す属性情報を検出する検出手段をさらに有することを特徴とする請求項８に記載の販売支援システム。
【請求項１０】
前記計数手段は、前記検出手段の検出した前記属性情報ごとに前記参照者数を計数することを特徴とする請求項９に記載の販売支援システム。
【請求項１１】
表示部を有し、店舗に設置される店舗端末装置を管理するための販売支援方法であって、
前記店舗端末装置において、レシピサイトにおいて参照可能なレシピに関するレシピ動画像と、広告を示す広告動画像を前記表示部において配信する配信ステップであって、
前記店舗に来店したユーザの有するユーザ端末からの閲覧要求に応じて、前記ユーザ端末において前記店舗端末装置において配信した前記レシピ動画像を閲覧可能にする配信ステップと、
前記表示部における表示を参照した参照者の数を取得する取得ステップと、
前記店舗端末装置の設置されている店舗もしくは売り場に関する複数のグループ情報と、前記複数のグループのそれぞれに属する前記店舗端末装置について前記取得ステップにおいて取得した前記参照者数を対応づけて管理するように制御する制御ステップとを有することを特徴とする販売支援方法。
【請求項１２】
表示部を有し、店舗に設置される店舗端末装置を管理するための販売支援を行う１又は複数の管理装置のコンピュータに、
前記店舗端末装置において、レシピサイトにおいて参照可能なレシピに関するレシピ動画像と、広告を示す広告動画像を前記表示部において配信する配信ステップであって、
前記店舗に来店したユーザの有するユーザ端末からの閲覧要求に応じて、前記ユーザ端末において前記店舗端末装置において配信した前記レシピ動画像を閲覧可能にする配信ステップと、
前記表示部における表示を参照した参照者の数を取得する取得ステップと、
前記店舗端末装置の設置されている店舗もしくは売り場に関する複数のグループ情報と、前記複数のグループのそれぞれに属する前記店舗端末装置について前記取得ステップにおいて取得した前記参照者数を対応づけて管理するように制御する制御ステップとを実行させるための販売支援プログラム。
【手続補正２】
【補正対象書類名】明細書
【補正対象項目名】発明の名称
【補正方法】変更
【補正の内容】
【発明の名称】販売支援システム、販売支援方法及び販売支援プログラム
【手続補正３】
【補正対象書類名】明細書
【補正対象項目名】０００１
【補正方法】変更
【補正の内容】
【０００１】
本発明は、販売支援システム、販売支援方法及び販売支援プログラムに関する。
本願は、２０１８年１月１０日に日本に出願された特願２０１８−００１９４５号について優先権を主張し、その内容をここに援用する。
【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技者が操作可能であって、第１方向への第１動作と、該第１方向とは異なる第２方向への第２動作と、前記第１動作及び前記第２動作とは異なる第３動作とが可能な可動体と、
遊技者の操作を検知可能な操作検知手段と、
演出画像を表示可能な表示手段と
を備え、
前記表示手段は、前記可動体に対する操作を促す操作促進表示を表示可能であり、
前記操作促進表示は、前記第１動作に対応した表示態様による第１操作促進表示と、前記第２動作に対応した表示態様による第２操作促進表示と、を含み、
遊技者の操作に応じて、前記可動体による前記第１動作、前記第２動作及び前記第３動作のうち少なくとも２以上の動作を複合して実行可能であるとともに、振動を発生可能である
ことを特徴とする遊技機。
【手続補正２】
【補正対象書類名】明細書
【補正対象項目名】０００７
【補正方法】変更
【補正の内容】
【０００７】
手段Ａの遊技機は、遊技が可能な遊技機であって、
遊技者が操作可能であって、第１方向への第１動作と、該第１方向とは異なる第２方向への第２動作と、前記第１動作及び前記第２動作とは異なる第３動作とが可能な可動体と、
遊技者の操作を検知可能な操作検知手段と、
演出画像を表示可能な表示手段と
を備え、
前記表示手段は、前記可動体に対する操作を促す操作促進表示を表示可能であり、
前記操作促進表示は、前記第１動作に対応した表示態様による第１操作促進表示と、前記第２動作に対応した表示態様による第２操作促進表示と、を含み、
遊技者の操作に応じて、前記可動体による前記第１動作、前記第２動作及び前記第３動作のうち少なくとも２以上の動作を複合して実行可能であるとともに、振動を発生可能である
ことを特徴とする。
さらに、手段１の遊技機は、
遊技が可能な遊技機（例えば、パチンコ遊技機１）であって、
第１方向への第１動作（例えば、左右方向へのスライド動作）と、該第１方向とは異なる第２方向への第２動作（例えば、縦回転動作）と、前記第１動作及び前記第２動作とは異なる第３動作（例えば、上下・前後・左右の３次元方向への往復動作）とが可能な可動体（例えば、プッシュボタン３１の演出体３０２）と、
遊技者の動作を検知可能な動作検知手段（例えば、プッシュセンサ３５Ｂ）と、
を備え、
遊技者の動作に応じて、前記可動体による前記第１動作、前記第２動作及び前記第３動作のうち少なくとも２以上の動作を複合して実行可能であるとともに、振動を発生可能である（例えば、遊技者によりプッシュボタン３１の操作体３５０が押圧操作されて操作非検出位置から操作検出位置まで移動（変位）することによって遊技者の操作（動作）がプッシュセンサ３５Ｂにより検出されたことに基づいて、プッシュボタン３１において、回転体３８０の第２動作（縦回転）や、振動用モータ３１２による操作体３５０の第３動作（振動）といった複数の動作が複合して行われる部分など。図２７、図２８参照）
ことを特徴としている。
この特徴によれば、遊技者動作の際に、可動体の複数の動作が行われるとともに振動が発生することにより、興趣を向上させることができる。
【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
遊技者にとって有利な有利状態と、該有利状態とは異なる状態である特殊状態と、第１特定状態と、該第１特定状態よりも前記特殊状態により遊技価値が付与されやすい第２特定状態と、に制御可能な遊技機であって、
第１所定領域に遊技媒体が進入容易な進入容易状態と進入困難な進入困難状態とに変化可能な第１可変手段と、
前記第１可変手段の下流側に設けられ、前記第１所定領域とは異なる第２所定領域に遊技媒体が進入容易な進入容易状態と進入困難な進入困難状態とに変化可能な第２可変手段と、
前記第１可変手段を遊技媒体が通過する際の遊技媒体の移動を遅延させるための第１遅延手段と、
前記第２可変手段を遊技媒体が通過する際の遊技媒体の移動を遅延させるための第２遅延手段と、
を備え、
前記特殊状態に制御されることに対応して前記第２可変手段が進入容易状態とされ、
前記第１特定状態では、前記第２特定状態よりも前記第１可変手段が進入容易状態に変化しやすく、
前記第１遅延手段による遊技媒体の移動の遅延度合いの方が前記第２遅延手段による遊技媒体の移動の遅延度合いよりも大きく、
前記第２可変手段の前記第２所定領域に遊技媒体が進入したときの方が、前記第１可変手段の前記第１所定領域に遊技媒体が進入したときよりも付与される遊技価値が大きい、
ことを特徴とする遊技機。
【手続補正２】
【補正対象書類名】明細書
【補正対象項目名】０００７
【補正方法】変更
【補正の内容】
【０００７】
手段Ａの遊技機は、遊技者にとって有利な有利状態と、該有利状態とは異なる状態である特殊状態と、第１特定状態と、該第１特定状態よりも前記特殊状態により遊技価値が付与されやすい第２特定状態と、に制御可能な遊技機であって、
第１所定領域に遊技媒体が進入容易な進入容易状態と進入困難な進入困難状態とに変化可能な第１可変手段と、
前記第１可変手段の下流側に設けられ、前記第１所定領域とは異なる第２所定領域に遊技媒体が進入容易な進入容易状態と進入困難な進入困難状態とに変化可能な第２可変手段と、
前記第１可変手段を遊技媒体が通過する際の遊技媒体の移動を遅延させるための第１遅延手段と、
前記第２可変手段を遊技媒体が通過する際の遊技媒体の移動を遅延させるための第２遅延手段と、
を備え、
前記特殊状態に制御されることに対応して前記第２可変手段が進入容易状態とされ、
前記第１特定状態では、前記第２特定状態よりも前記第１可変手段が進入容易状態に変化しやすく、
前記第１遅延手段による遊技媒体の移動の遅延度合いの方が前記第２遅延手段による遊技媒体の移動の遅延度合いよりも大きく、
前記第２可変手段の前記第２所定領域に遊技媒体が進入したときの方が、前記第１可変手段の前記第１所定領域に遊技媒体が進入したときよりも付与される遊技価値が大きい、
ことを特徴とする。
さらに、手段１の遊技機は、
遊技者にとって有利な有利状態（例えば、大当り遊技状態）と、該有利状態とは異なる状態である特殊状態（例えば、小当り遊技状態）と、第１特定状態（例えば、高ベース状態）と、該第１特定状態よりも前記特殊状態により遊技価値（例えば、賞球など）が付与されやすい第２特定状態（例えば、通常状態（低確率／非ＫＴ状態）よりも小当りになりやすいＫＴ状態（第２ＫＴ状態）など）と、に制御可能な遊技機（例えば、パチンコ遊技機１）であって、
第１所定領域（例えば、第２始動入賞口７０１Ａ）に遊技媒体（例えば、遊技球）が進入容易な進入容易状態（例えば、第１状態）と進入困難な進入困難状態（例えば、第２状態）とに変化可能な第１可変手段（例えば、可変入賞球装置６Ｂ）と、
前記第１可変手段の下流側に設けられ、前記第１所定領域とは異なる第２所定領域（例えば、特殊入賞口７０３Ａ）に遊技媒体が進入容易な進入容易状態（例えば、第１状態）と進入困難な進入困難状態（例えば、第２状態）とに変化可能な第２可変手段（例えば、特殊可変入賞球装置１７）と、
前記第１可変手段を遊技媒体が通過する際の遊技媒体の移動を遅延させるための第１遅延手段（例えば、第１遅延手段としての規制部７５１，７５２，７５３と規制部７６１，７６２，７６３）と、
前記第２可変手段を遊技媒体が通過する際の遊技媒体の移動を遅延させるための第２遅延手段（例えば、第２遅延手段としての規制部７７１，７７２，７７３，７７４と規制部７８１，７８２，７８３）と、
を備え、
前記特殊状態に制御されることに対応して前記第２可変手段が進入容易状態とされ（例えば、ＣＰＵ１０３が、表示結果を小当り表示結果としたときに特殊入賞口７０３Ａを開放させる制御を行う部分。図１０（Ｂ）参照）、
前記第１特定状態では、前記第２特定状態よりも前記第１可変手段が進入容易状態に変化しやすく（例えば、高ベース状態では、平均的な特図変動時間（特図を変動させる期間）を通常状態よりも短縮させる制御（時短制御）が実行され（時短状態）、普図ゲームで「普図当り」となる確率を通常状態よりも向上させる等により、可変入賞球装置６Ｂの第２始動入賞口に遊技球が進入しやすくなる制御（高開放制御、高ベース制御）も実行される。部分。図１０（Ａ）参照）、
前記第１遅延手段による遊技媒体の移動の遅延度合いの方が前記第２遅延手段による遊技媒体の移動の遅延度合いよりも大きい（例えば、第１遅延手段を構成する規制部７５１，７５２，７５３、７６１，７６２，７６３による遊技球の移動の遅延度合いの方が、第２遅延手段を構成する規制部７７１，７７２，７７３，７７４、７８１，７８２，７８３による遊技球の移動の遅延度合いよりも大きい部分。図１５参照）
ことを特徴としている。
この特徴によれば、上流側の第１可変手段と下流側の第２可変手段との遅延度合いの最適化を図ることができ、第１特定状態にて下流側の第２可変手段への遊技媒体の流下を規制しつつ、第２特定状態にて第２可変手段への遊技媒体の過剰な進入を抑制できる。
【誤訳訂正書】
【提出日】令和3年11月22日(2021.11.22)
【誤訳訂正１】
【訂正対象書類名】明細書
【訂正対象項目名】０２９４
【訂正方法】変更
【訂正の内容】
【０２９４】
ｄ）第ＩＩ相臨床試験３−健康な髄膜炎菌ワクチン未感作幼児（１２〜２３カ月齢）に投与したＭｅｎＡＣＹＷ−ＴＴの安全性および免疫原性
ＭｅｎＡＣＹＷ−ＴＴ結合体ワクチンは、６週齢以上の個人に使用することが意図されている。この研究は、対照として、認可された四価髄膜炎菌結合体ワクチン（ＭＣＶ４−ＴＴ）である、Ｎｉｍｅｎｒｉｘ（登録商標）を使用して、乳児における単回用量の安全性および免疫原性を評価した。
【手続補正書】
【提出日】令和3年11月30日(2021.11.30)
【手続補正１】
【補正対象書類名】明細書
【補正対象項目名】００１１
【補正方法】変更
【補正の内容】
【００１１】
（作用）
ポリロタキサンの架橋に従来よりも高分子化した架橋剤（Ｂ）を用い、両末端に反応基を有する２反応成分（Ｃ）と、片末端のみに反応基を有する１反応成分（Ｄ）とを加えることにより、図１に模式的に示すような構造のエラストマー組成物が得られ、架橋密度が低減して、初期弾性率０．６〜２ＭＰａが得られる。
【手続補正２】
【補正対象書類名】明細書
【補正対象項目名】００３０
【補正方法】変更
【補正の内容】
【００３０】
＜１＞ポリロタキサン（Ａ）の作製
まず、環状分子にシクロデキストリンを含有し、直鎖状分子にポリエチレングリコールを含有し、直鎖状分子の両末端に封鎖基を配置してなるポリロタキサンとして、国際公開第２００５／０８０４６９号（特許文献１で引用されている）に開示された、ヒドロキシプロピル基で修飾されたポリロタキサン（以下「ＨＡＰＲ」と略記することがある。）を調製した。
【手続補正３】
【補正対象書類名】明細書
【補正対象項目名】００３９
【補正方法】変更
【補正の内容】
【００３９】
＜４＞１反応成分（Ｄ）
次の２種類の１反応成分を使用した。
＜４−１＞１反応成分（Ｄ１）
和光純薬社製ポリプロピレングリコール１Ｋ、モノオール型をそのまま使用した。
＜４−２＞１反応成分（Ｄ２）
和光純薬社製ポリプロピレングリコール３４０、モノオール型をそのまま使用した。
【手続補正４】
【補正対象書類名】明細書
【補正対象項目名】００４１
【補正方法】変更
【補正の内容】
【００４１】
【表１】
2021001291.tif 000001
【手続補正５】
【補正対象書類名】明細書
【補正対象項目名】００５７
【補正方法】変更
【補正の内容】
【００５７】
＜７−４＞絶縁破壊電界強度
まず、エラストマー組成物成形体１の膜厚を測定した。次に、図２に示すように、設置側の円板電極２１にエラストマー組成物成形体１を貼り付け、エラストマー組成物成形体１に円柱電極２２を載せ、この際にエラストマー組成物成形体１と各電極２１，２２との間に空気泡が極力残らないように留意し、さらに真空装置により脱気処理した。これを常温常湿下で絶縁破壊測定器にセットし、電源装置２３により電極２１，２２間に昇圧速度１０Ｖ／０．１秒で上昇するよう電圧を印加した。そして、電流が実質的に流れない絶縁状態を経て、電流が１．２μＡ以上となった時点の電圧から絶縁破壊電界強度（Ｖ／μｍ）を求めた。常温とは２０±１５℃であり、常湿とは６５±２０％である（ＪＩＳ−８７０３）。
【誤訳訂正書】
【提出日】令和3年11月25日(2021.11.25)
【誤訳訂正１】
【訂正対象書類名】明細書
【訂正対象項目名】００３７
【訂正方法】変更
【訂正の内容】
【００３７】
センサー４９の三次元（３Ｄ）位置決め精度の仕様は通常、Ｘ／Ｙ／Ｚ方向の各々において約１ｍｍである。本発明者らは、ゾーン６１のまわり全体にわたって材料６０を張り付けることにより、センサー４９の３Ｄ位置決め精度が０〜０．６ｍｍの範囲内に維持されることを見出した。
【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ボビン軸方向に並べて配置された複数のボビンを支持するボビンホルダと、前記ボビン軸方向に並べて配置され、各ボビンに巻き取られる糸が綾振りされる際の支点となる複数の支点ガイドと、を有し、前記複数のボビンに複数の糸を巻き取る巻取装置と、
前記複数の糸を一時的に保持するための糸掛補助部材と、前記糸掛補助部材を移動駆動する駆動機構と、を有し、前記駆動機構が前記糸掛補助部材を動かすことにより前記複数の支点ガイドに前記複数の糸を掛ける糸掛作業を行う自動糸掛装置と、を備える繊維機械であって、
前記巻取装置は、
前記ボビン軸方向の成分を有する案内方向に前記糸掛補助部材を案内する案内面、が形成された補助部材案内部を有し、
前記自動糸掛装置は、
前記案内面から前記糸掛補助部材に加えられる反発力を吸収するクッション部を有することを特徴とする繊維機械。
【請求項２】
前記クッション部は、
弾性復元力により、前記糸掛補助部材を前記案内方向と交差する交差方向における前記案内面側に付勢する弾性部材を有することを特徴とする請求項１に記載の繊維機械。
【請求項３】
前記クッション部は、
前記糸掛補助部材が取り付けられ、前記交差方向に回動自在に構成された回動部材を有し、
前記弾性部材は、
前記回動部材を前記交差方向における前記案内面側に付勢することを特徴とする請求項２に記載の繊維機械。
【請求項４】
前記弾性部材は、前記回動部材の回動中心部を囲うように設けられたねじりバネであることを特徴とする請求項３に記載の繊維機械。
【請求項５】
前記駆動機構を制御する制御部を備え、
前記制御部は、
前記糸掛補助部材が前記案内面に常に接触している状態で移動するように前記駆動機構を制御することを特徴とする請求項１〜４のいずれかに記載の繊維機械。
【請求項６】
請求項１〜４のいずれかに記載の繊維機械において、前記駆動機構を制御する制御部に前記糸掛作業に関する動作情報を記憶させるティーチングを行うティーチング方法であって、
前記糸掛作業の開始時から終了時まで前記糸掛補助部材が前記案内面に常に接触するように、前記動作情報を前記制御部に記憶させることを特徴とするティーチング方法。
【請求項７】
請求項５に記載の繊維機械において、前記制御部に前記糸掛作業に関する動作情報を記憶させるティーチングを行うティーチング方法であって、
前記糸掛作業の開始時から終了時まで前記糸掛補助部材が前記案内面に常に接触するように、前記動作情報を前記制御部に記憶させることを特徴とするティーチング方法。
【請求項８】
前記糸掛補助部材に糸を保持させていない状態でティーチングを行うことを特徴とする請求項６又は７に記載のティーチング方法。
【手続補正書】
【提出日】令和3年12月4日(2021.12.4)
【手続補正１】
【補正対象書類名】特許請求の範囲
【補正対象項目名】全文
【補正方法】変更
【補正の内容】
【特許請求の範囲】
【請求項１】
水処理用吸着材であって、
吸着剤と、
吸着剤を保持する基質
を備え、
吸着剤が、カチオン化グアーガムであり、
基質がセルロースである
ことを特徴とする水処理用吸着材。
【請求項２】
前記のセルロースが平均粒径１０〜１００μｍの粉末セルロースであることを特徴とする
請求項１に記載の水処理用吸着材。
【請求項３】
前記の水処理用吸着材におけるセルロースとカチオン化グアーガムの配合割合が、セルロ
ース１０００重量部に対してカチオン化グアーガムが５ないし１３０重量部であることを
特徴とする請求項1または２に記載の水処理用吸着材。
【請求項４】
５ないし１３０重量部のカチオン化グアーガムを水に溶解する工程と、得られた水溶液に
１０００重量部のセルロースを混合する工程と、得られた混合液を乾固する工程と、得ら
れた乾固体を粉末にする工程を含むことを特徴とする請求項１ないし３のいずれか1項に記載の水処理用吸着材の製造方法。
【請求項５】
請求項１乃至３のいずれか1項に記載の水処理用吸着材を含むことを特徴とする濾過膜。
【請求項６】
請求項１乃至３のいずれか1項に記載の水処理用吸着材を含むことを特徴とする円筒状フィルター。
【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
適用部を備え、
前記適用部は、第１アイテムを消費したプレイヤが、前記第１アイテムに関連付けられた第１特典と第２特典とを含む複数種類の特典の中から前記第１特典を選択した場合に、前記プレイヤに前記第１特典を適用し、
前記適用部は、第１アイテムの消費に応じて設定される有効期間内に、前記プレイヤから所定操作を受け付けた場合に、前記第１特典に代えて、前記第２特典を前記プレイヤに適用する、
情報処理装置。
【請求項２】
前記適用部は、前記所定操作の受付から前記有効期間の終了まで、前記第２特典を前記プレイヤに適用可能にする、
請求項１に記載の情報処理装置。
【請求項３】
誘導部をさらに備え、
前記誘導部は、前記第２特典が前記第１アイテムを消費することなく前記プレイヤに適用され得る第３特典より不利である場合に、前記第２特典が不利であることを示す情報を報知する、
請求項１又は請求項２に記載の情報処理装置。
【請求項４】
前記適用部は、前記第１アイテムの消費のための操作又は前記所定操作を受け付けた場合に、前記複数種類の特典の中から特典を選択するための特典選択画面に、
前記複数種類の特典ごとに効果が適用される対象となるクエストの種類を表示する、
請求項１〜請求項３の何れか１項に記載の情報処理装置。
【請求項５】
前記適用部は、クエストの種類を示すクエストタイプのいずれかを選択するクエストタイプ選択画面に、前記複数種類の特典のうち適用されている特典が関連付けられているクエストタイプを関連付けられていないクエストタイプと識別可能に表示する、
請求項１〜請求項４の何れか１項に記載の情報処理装置。
【請求項６】
前記適用部は、複数のクエストからクエストを選択するクエスト選択画面に、前記複数種類の特典のうち適用されている特典が関連付けられているクエストを関連付けられていないクエストと識別可能に表示する、
請求項１〜請求項５の何れか１項に記載の情報処理装置。
【請求項７】
第１アイテムを消費したプレイヤが、前記第１アイテムに関連付けられた第１特典と第２特典とを含む複数種類の特典の中から前記第１特典を選択した場合に、前記プレイヤに前記第１特典を適用する適用段階を含む、情報処理装置の制御方法であって、
前記適用段階では、第１アイテムの消費に応じて設定される有効期間内に、前記プレイヤから所定操作を受け付けた場合に、前記第１特典に代えて、前記第２特典を前記プレイヤに適用する、
制御方法。
【請求項８】
第１アイテムを消費したプレイヤが、前記第１アイテムに関連付けられた第１特典と第２特典とを含む複数種類の特典の中から前記第１特典を選択した場合に、前記プレイヤに前記第１特典を適用する適用機能を情報処理装置のコンピュータに実現させる制御プログラムであって、
前記適用機能は、第１アイテムの消費に応じて設定される有効期間内に、前記プレイヤから所定操作を受け付けた場合に、前記第１特典に代えて、前記第２特典を前記プレイヤに適用する、
制御プログラム。
【手続補正書】
【提出日】令和3年11月19日(2021.11.19)
【手続補正１】
【補正対象書類名】明細書
【補正対象項目名】０００６
【補正方法】変更
【補正の内容】
【０００６】
上記目的を達成するため、本発明のロボットは、
複数の所定動作の各々を実行可能に構成されたロボットであって、
前記複数の所定動作の各々の実際の実行頻度を表す実行頻度パラメータを取得する取得手段と、
前記取得手段によって取得された実行頻度パラメータに応じて前記複数の所定動作のうちのいずれかの所定動作を実行用動作として選択する選択手段と、
前記選択手段によって選択された実行用動作を自機に実行させる動作制御手段と、
前記動作制御手段により前記実行用動作が実行された後、前記取得手段が取得する実行頻度パラメータを低く設定し、且つ、前記複数の所定動作のうち実行された所定動作以外の所定動作を前記実行用動作として選択されやすくするよう前記選択手段を制御する選択制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
複数の所定動作の各々を実行可能に構成されたロボットであって、
前記複数の所定動作の各々の実際の実行頻度を表す実行頻度パラメータを取得する取得手段と、
前記取得手段によって取得された実行頻度パラメータに応じて前記複数の所定動作のうちのいずれかの所定動作を実行用動作として選択する選択手段と、
前記選択手段によって選択された実行用動作を自機に実行させる動作制御手段と、
前記動作制御手段により前記実行用動作が実行された後、前記取得手段が取得する実行頻度パラメータを低く設定し、且つ、前記複数の所定動作のうち実行された所定動作以外の所定動作を前記実行用動作として選択されやすくするよう前記選択手段を制御する選択制御手段と、
を備えることを特徴とするロボット。
【請求項２】
前記取得手段は、前記実行頻度パラメータとして、前記複数の所定動作の各々が実行されていない状態の継続時間を取得することを特徴とする、請求項１に記載のロボット。
【請求項３】
前記取得手段は、前記実行頻度パラメータとして、前記複数の所定動作の各々が実行された回数である実行回数を取得することを特徴とする、請求項１に記載のロボット。
【請求項４】
前記選択手段は、前記複数の所定動作に対応する複数の選択用パラメータの間の比較結果に基づいて、前記複数の所定動作から前記実行用動作を選択し、
前記選択制御手段は、前記複数の所定動作の各々の実行頻度パラメータに基づいて、前記複数の所定動作からの前記実行用動作の選択を、実行頻度がより低い所定動作が前記実行用動作として選択されやすくなるように、前記複数の選択用パラメータの各々を設定することを特徴とする、請求項１から３のいずれか１項に記載のロボット。
【請求項５】
前記動作制御手段は、現在実行中の前記実行用動作としての所定動作に対応する実行頻度パラメータと、前記複数の所定動作のうちの、前記実行用動作としての所定動作以外の他の所定動作に対応する実行頻度パラメータとの比較結果に応じて、前記実行用動作としての前記所定動作の実行頻度がより低い場合に、現在実行中の前記所定動作を、中断せずに完了させるように前記自機に実行させることを特徴とする、請求項１から４のいずれか１項に記載のロボット。
【請求項６】
複数の所定動作の各々を実行可能に構成されたロボットの制御方法であって、
前記複数の所定動作の各々の実際の実行頻度を表す実行頻度パラメータを取得する取得ステップと、
前記取得ステップで取得された実行頻度パラメータに応じて前記複数の所定動作のうちのいずれかの所定動作を実行用動作として選択する選択ステップと、
前記選択ステップにて選択された実行用動作を自機に実行させる動作制御ステップと、
前記動作制御ステップにて前記実行用動作が実行された後、前記取得ステップで取得される実行頻度パラメータを低く設定し、且つ、前記複数の所定動作のうち実行された所定動作以外の所定動作を前記実行用動作として選択されやすくするよう制御する制御ステップと、
を含むロボットの制御方法。
【請求項７】
複数の所定動作の各々を実行可能に構成されたロボットを制御するための制御装置のコンピュータを、
前記複数の所定動作の各々の実際の実行頻度を表す実行頻度パラメータを取得する取得手段、
前記取得手段によって取得された実行頻度パラメータに応じて前記複数の所定動作のうちのいずれかの所定動作を実行用動作として選択する選択手段、
前記選択手段によって選択された実行用動作を自機に実行させる動作制御手段、及び、
前記動作制御手段により前記実行用動作が実行された後、前記取得手段が取得する実行頻度パラメータを低く設定し、且つ、前記複数の所定動作のうち実行された所定動作以外の所定動作を前記実行用動作として選択されやすくするよう前記選択手段を制御する選択制御手段、
として機能させるためのプログラム。
【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
ロータコアを含むロータと、ステータとを含む埋め込み永久磁石式回転電機であって、
前記ロータコアは、
各磁極部に径方向よりも周方向に長い磁石挿入孔と、
前記磁石挿入孔の両端の内周側の磁石止め部と、
前記磁石止め部の外周側の空隙と、
前記空隙の外周側のブリッジ部と、
隣り合う前記磁石挿入孔の間のｑ軸コアと、
前記磁石挿入孔両端の磁石止め部の間の矩形形状の磁石収容部と、
前記磁石収容部の外周側の傘状コアと、
前記傘状コアと前記ブリッジ部の間の第１接続部と、
前記ｑ軸コアと前記ブリッジ部の間の第２接続部と、を含み、
前記ｑ軸コアのｑ軸垂直方向の最小幅Ｗｑの両端を通る２本の仮想的なｑ軸方向直線に挟まれたロータコア外周部は、回転軸を中心としたロータ半径と略一致する半径の円上にあり、
前記傘状コア、前記第１接続部及び前記ブリッジ部のコア外周輪郭は円弧で形成され、
前記ブリッジ部の幅Ｗｂは、前記磁石収容部の径方向長さＴｍｇ／２より小さく、
前記傘状コアの磁極中心の径方向厚さＨｃは、前記円弧の中心角を磁極ピッチ端に達するまで拡大したときの仮想円弧の径方向厚さＨｃｍの、０．５〜１．０倍の範囲にあり、
前記Ｗｑの中心角は、π／（３＊極数）の、０．４〜０．９倍の範囲にあり、
前記Ｗｑは、前記Ｈｃの、１．１５〜２．５倍の範囲にある、
ことを特徴とする、埋め込み永久磁石式回転電機。
【請求項２】
請求項１に記載の埋め込み永久磁石式回転電機であって、
１つ以上の３相インバータを含む第１の駆動回路に接続される第１系統巻線と、
１つ以上の３相インバータを含む第２の駆動回路に接続される第２系統巻線と、をさらに含む、埋め込み永久磁石式回転電機。
【請求項３】
請求項１に記載の埋め込み永久磁石式回転電機であって、
前記ロータコアは磁極中心線に対して対称な形状を有し、
前記埋め込み永久磁石式回転電機の極数は、８極、１０極、１２極、又は１４極のいずれかである、
ことを特徴とする、埋め込み永久磁石式回転電機。
【請求項４】
請求項１又は２に記載の埋め込み永久磁石式回転電機であって、
前記ロータコアの外周が真円である、
ことを特徴とする、埋め込み永久磁石式回転電機。
【請求項５】
請求項１又は２に記載の埋め込み永久磁石式回転電機であって、
前記傘状コア、前記第１接続部、前記ブリッジ部のコア外周輪郭は円弧で形成され、当該円弧の半径がロータ半径未満である、
ことを特徴とする、埋め込み永久磁石式回転電機。
【請求項６】
請求項１又は２に記載の埋め込み永久磁石式回転電機であって、
磁極中心外周部に溝が設けられ、
前記溝を除く前記傘状コア、前記第１接続部、前記ブリッジ部のコア外周輪郭は円弧で形成される、
ことを特徴とする、埋め込み永久磁石式回転電機。
【請求項７】
請求項１又は２に記載の埋め込み永久磁石式回転電機であって、
前記Ｈｃは、前記Ｈｃｍの０．５５〜０．９倍の範囲にあり、
前記Ｗｑの中心角は、π／（３＊極数）の０．５〜０．７５倍の範囲にあり、
前記Ｗｑは、前記Ｈｃの１．２〜２．１倍の範囲にある、
ことを特徴とする、埋め込み永久磁石式回転電機。
【請求項８】
請求項２に記載の埋め込み永久磁石式回転電機であって、
前記第１系統巻線及び前記第２系統巻線はステータコアに分布巻でステータコアの内周側と外周側に分けて配置され、
前記第１系統巻線及び前記第２系統巻線の電流位相差が、２４°〜３６°の範囲にある、
ことを特徴とする、埋め込み永久磁石式回転電機。
【請求項９】
請求項１に記載の埋め込み永久磁石式回転電機であって、
第１のインバータに接続される第１系統巻線と、
第２のインバータに接続される第２系統巻線と、
第３のインバータに接続される第３系統巻線と、
第４のインバータに接続される第４系統巻線と、をさらに含む、
ことを特徴とする、埋め込み永久磁石式回転電機。
【請求項１０】
請求項１又は２に記載の埋め込み永久磁石式回転電機であって、
積層コアを形成する電磁鋼板の厚さをＴｂとして、
Ｈｃ−Ｗｂ＋Ｔｂ／２は、前記Ｈｃｍの０．５〜０．８倍の範囲にあり、
前記Ｗｑは、π＊ロータ半径／（３＊極数）の０．４〜０．９倍の範囲にあり、
前記Ｗｑは、Ｈｃ−Ｗｂ＋Ｔｂ／２の１．２〜２．５倍の範囲にある、
ことを特徴とする、埋め込み永久磁石式回転電機。
【請求項１１】
請求項１０に記載の埋め込み永久磁石式回転電機であって、
前記磁石収容部の外周側の長さＷｍｇの中心角は、４π／（３＊極数）の７／８〜１倍の範囲にあり、
前記磁石収容部の外周側端点と前記ｑ軸コア外周部との距離Ｗｅの中心角は、π／（３＊極数）の０．５倍以上であり、
前記ブリッジ部は略一定の幅Ｗｂを有し、
前記ブリッジ部の長さの中心角度は、（π／６＊極数）＊０．６以上であり、
前記Ｗｂは前記Ｔｂ以下である、
ことを特徴とする、埋め込み永久磁石式回転電機。
【請求項１２】
請求項１又は２に記載の埋め込み永久磁石式回転電機を含み、前記埋め込み永久磁石式回転電機を用いて電動パワーステアリング又は電動ブレーキを行うことを特徴とする、自動車用電動補機システム。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行うことが可能な遊技機であって、
遊技者が操作可能な操作手段と、
遊技の状況に応じて演出を実行可能な演出手段と、
演出の実行を制御可能な制御手段と、を備え、
前記演出手段には、前記操作手段の操作に基づいて所定の操作対応演出を実行可能な特定演出手段が含まれており、
前記特定演出手段は、前記操作手段の１回の操作につき前記操作対応演出を１回実行することが可能とされており、
前記制御手段は、前記操作手段の操作に基づいて前記操作対応演出を実行する場合、該操作に基づく前記操作対応演出の実行開始から所定の無効時間が経過するまでの間、前記操作手段の次の操作に基づく前記操作対応演出の実行開始を無効化する無効化処理を実行可能である
ことを特徴とする遊技機。
【請求項２】
前記無効時間は、１回の前記操作対応演出の実行時間よりも短く、かつ、前記実行時間の１／２以上の時間である
ことを特徴とする請求項１に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、手段１の遊技機は、
所定の遊技媒体を用いて遊技を行うことが可能な遊技機であって、
遊技者が操作可能な操作手段と、
遊技の状況に応じて演出を実行可能な演出手段と、
演出の実行を制御可能な制御手段と、を備え、
前記演出手段には、前記操作手段の操作に基づいて所定の操作対応演出を実行可能な特定演出手段が含まれており、
前記特定演出手段は、前記操作手段の１回の操作につき前記操作対応演出を１回実行することが可能とされており、
前記制御手段は、前記操作手段の操作に基づいて前記操作対応演出を実行する場合、該操作に基づく前記操作対応演出の実行開始から所定の無効時間が経過するまでの間、前記操作手段の次の操作に基づく前記操作対応演出の実行開始を無効化する無効化処理を実行可能である
ことを要旨とする。
また、手段２の遊技機は、手段１の遊技機において、
前記無効時間は、１回の前記操作対応演出の実行時間よりも短く、かつ、前記実行時間の１／２以上の時間である
ことを要旨とする。